(57)【特許請求の範囲】
【請求項１】
監視区域内に設置した感知器の異常の検出を防災監視盤で受けて表示画面にて発生地区名称を表示すると共に、発生地区を特定した音声メッセージを出力する防災監視設備において、
前記防災監視盤に、
地区名称を構成する文字セット毎に文字セット表示データと文字セット音声データの組を予め登録した文字セットデータベースと、
表示画面上での１又は複数の文字セットの選択操作により、地区名称表示データと地区名称音声データを作成して地区名称データベースに登録する登録処理部と、
を設けたことを特徴とする防災監視設備。
【請求項２】
請求項１記載の防災監視設備において、前記登録処理部は、前記文字セットデータベースに登録された文字セット表示データと文字セット音声データの組に基づく１又は複数の文字セットを選択可能な設定画面を、前記表示画面上に表示することを特徴とする防災監視設備。
【請求項３】
請求項２記載の防災監視設備において、前記感知器は、火災感知器、ガス漏れ感知器、防犯感知器のうち少なくとも何れか１種類であることを特徴とする防災監視設備。
【請求項４】
請求項２又は３記載の防災監視設備において、前記感知器は、集合住宅の住戸内及び共用部に設置されることを特徴とする防災監視設備。
【請求項５】
請求項４記載の防災監視設備において、
前記文字セットデータベースは、共用部の地区名称に関する文字セット表示データと文字セット音声データの組を予め登録し、
前記登録処理部は、前記設定画面上での１又は複数の文字セットの選択により、共用部地区名称表示データと共用部地区名称音声データを作成して地区名称データベースに登録することを特徴とする防災監視設備。
【請求項６】
請求項４記載の防災監視設備において、
前記文字セットデータベースは、住戸の階と名称で構成される住戸名称の文字セット表示データと文字セット音声データの組を予め登録し、
前記登録処理部は、前記設定画面上に表示された階及び名称の入力枠に対する文字セットの設定により、階と名称で構成された住戸名称表示データと住戸名称音声データを作成して地区名称データベースに登録することを特徴とする防災監視設備。
【発明の詳細な説明】
【０００１】
【発明の属する技術分野】
本発明は、地区名称を登録して火災等の異常時に地区名称を特定した異常地区表示と音声メッセージによる警報を行う防災監視設備に関する。
【０００２】
【従来技術】
従来、監視区域の火災感知器からの火災検出信号を受けて、地区名称を特定して、火災地区表示と音声メッセージによる警報を行う防災監視設備としては、集合住宅向けの防災監視設備がある。防災監視設備が集合住宅の火災報知設備である場合にあっては、液晶表示器のような多様な表示が行える防災監視盤において、住戸内に設置したインターホン機能付きの住戸用受信機から引き出された感知器回線に火災感知器を接続して住戸毎に火災を監視しており、各住戸の住戸用受信機を更に管理人室などに設置した防災監視盤に接続して火災信号を防災監視盤に送信し集中し監視している。
【０００３】
また、階段や廊下などの共用部については、防災監視盤から引き出された感知器回線に火災感知器を接続し、直接火災を監視している。更に火災時に音声メッセージによる警報を出すため、共用部及び住戸用受信機にはスピーカが設けられている。防災監視盤が住戸用受信機から火災を受信すると、液晶表示部に火災の地区名称を表示すると共に、共用部及び住戸用受信機に設けられたスピーカから、火災発生場所を示す音声警報を行う。
【０００４】
【発明が解決しようとする課題】
このため防災監視盤側には、火災が発生した場所を示す地区名称を表示したり音声警報するために、共用部及び住戸の各々について地区名称を予め登録しておく必要がある。この地区名称の登録作業として従来は、物件ごとに変わる地区名称について予めパソコン等の外部機器で設定した物件データを作成してＥＥＰＲＯＭなどに書込み、その後にＥＥＰＲＯＭを防災監視盤内部に移動させて使用している。
【０００５】
また、多様な音色やメッセージを出すための音声警報用の音声データについては、地区表示用の物件データとは別に音声合成用のデータを作成し、防災監視盤に対し音声警報専用の設定を行っている。
【０００６】
このため集合住宅のように住戸と共用部ごとに多種多様な地区名の表示と音声出力を必要とする防災監視設備にあっては、パソコン等の外部機器を使用した地区名称を表示用と音声警報用途に分けて設定登録する作業が煩雑であり、地区名称は施工段階では登録後に変更する場合も多く、パソコンなどの外部機器による登録や登録内容の変更には、多くの手間と時間を要し、作業効率が低いという問題があった。
【０００７】
本発明は、警報表示と音声警報に使用する地区名称の登録や変更が簡単な操作で効率良く行えるようにした防災監視設備を提供することを目的とする。
【０００８】
【課題を解決するための手段】
この目的を達成するため本発明は次のように構成する。まず本発明は、監視区域に設置した感知器の異常の検出を防災監視盤で受けて表示画面にて発生地区名称を表示すると共に、発生地区を特定した音声メッセージを出力する防災監視設備を対象とする。
【０００９】
このような防災監視設備につき本発明にあっては、防災監視盤に、地区名称を構成する文字セット毎に文字セット表示データと文字セット音声データの組を予め登録した文字セットデータベースと、表示画面上での１又は複数の文字セットの選択操作により、地区名称表示データと地区名称音声データを作成して地区名称データベースに登録する登録処理部とを設けたことを特徴とする。
【００１０】
ここで登録処理部は、文字セットデータベースに登録された文字セット表示データと文字セット音声データの組に基づく１又は複数の文字セットを選択可能な設定画面を、表示画面上に表示する。
【００１１】
また感知器は、火災感知器、ガス漏れ感知器、防犯感知器のうち少なくとも何れか１種類であり、例えば共同住宅向けの設備の場合、感知器は集合住宅の住戸内及び共用部に設置される。
【００１２】
文字セットデータベースは、共用部の地区名称に関する文字セット表示データと文字セット音声データの組を予め登録し、登録処理部は、設定画面上での１又は複数の文字セットの選択により、共用部地区名称表示データと共用部地区名称音声データを作成して地区名称データベースに登録する。
【００１３】
また文字セットデータベースは、住戸の階と名称で構成される住戸名称の文字セット表示データと文字セット音声データの組を予め登録し、登録処理部は、設定画面上に表示された階及び名称の入力枠に対する文字セットの設定により、階と名称で構成された住戸名称表示データと住戸名称音声データを作成して地区名称データベースに登録する。
【００１４】
このように本発明は、データベースとして準備された文字セットデータを選択したり、必要に応じて複数の文字セットデータを組み合わせるという、簡便な操作で地区名称の登録が容易にできる。
【００１５】
またデータベースに登録している文字セットデータを画面に表示させながら選択できるため、画面内で内容が把握でき、文字セットと地区名称との間の換算表などを特に必要としない。
【００１６】
また表示用の地区名称の設定により表示データと音声データが自動的に設定されるため、別々に設定していた場合に比べ、登録や変更が効率良くできる。更に表示と音声警報の地区名称を同一に出来るため、地区表示を見て音声警報の内容が推察でき、火災のときに音声警報の確認などが適切にできる。
【００１７】
【発明の実施の形態】
図１は本発明の防災監視設備で使用される防災監視盤の説明図である。図１において、防災監視盤１は集合住宅の管理人室などに設置されており、図示のように盤正面に火災監視部２を構成する火災発報代表灯などの表示器や各種の操作スイッチが設けられ、また共用玄関の集合玄関機や各住戸のインターホン設備と通話が可能なインターホン親機３としてのハンドセットとキースイッチが設けられている。
【００１８】
図２は図１の防災監視盤１を拡大して表わしている。火災監視部２には液晶表示部４が設けられており、この液晶表示部４に、火災監視時にあっては監視画面が表示され、また監視中に火災受信が行われると火災発生場所を示す地区名称を表示する。
【００１９】
液晶表示部４は、同時に予め決められた数の複数の警報を表示でき、火災が発生した順に順次ならべて表示される。また、液晶表示部は火災表示だけでなく、ガス漏れなどの警報表示や障害時の表示が行われる。この警報や障害の種類毎に表示画面が設けられており、画面選択スイッチの操作で画面が切替わって表示される。
【００２０】
また液晶表示部４は、本発明が対象としている地区名称の表示データと音声データの登録のための作業画面として使用される。液晶表示部４の右側には火災代表灯や、火災や障害の表示画面が液晶表示部４に切替表示されることに対応して点灯する発報表示、住戸警報表示、盤障害表示、回線障害表示などの表示灯に加え、液晶表示部４に表示する発報表示画面などの表示画面を切替える画面選択キー、警報情報が複数存在して一度に液晶画面に表示できないときに、警報情報をスクロールして表示させるシフトキー、警報復旧キーなどのキースイッチが設けられている。
【００２１】
液晶表示部４の下部にはインターホン親機３が設けられており、ハンドセット３７の右側にキースイッチ５を設けている。キースイッチ５は０，１，・・・９の番号キー以外に＊キー５ａ及び＃キー５ｂを設け、更にその下側にインターホン制御のための取消キー、呼出キー、メッセージリセットキー、メッセージセットキーなどを設けており、更にキースイッチ５の下側には解錠キー、住戸音響停止キー、呼出音量の調整キーなどが設けられている。
【００２２】
インターホン親機３の右側には、交流電源、予備電源動作中、スイッチ注意、障害代表、地区音響完全停止中、電話、発信機、蓄積中、表示１，２，３が示された各種の表示灯が設けられる。
【００２３】
更に、その下に本願の液晶表示部４を使用した地区名称の登録作業等に使用するスイッチとして実行スイッチ６、上シフトスイッチ７、下シフトスイッチ８及びメニュー表示・前画面スイッチ９が配置されている。また、その右側には試験復旧、蓄積解除、保守音響停止、地区音響一斉鳴動の各表示灯と、地区音響一斉鳴動および復旧の各スイッチ設けられ、一番下側には非常電話用のジャックが設けられている。
【００２４】
図３は本発明の防災監視設備の全体的な構成を示したブロック図である。図３において、防災監視盤１からは、各住戸側に対し伝送線２８と通話線２９が引き出され、この伝送線２８と通話線２９に対し住戸用受信機１０が各住戸ごとに接続されている。
【００２５】
住戸用受信機１０は住戸用制御部１１を備え、住戸用制御部１１は制御部１２、防災監視盤との火災情報や通話制御情報などの伝送を行う伝送回路１３、インターホン等の音声のやりとりを行う通話回路１４、火災警報などの音声を出力する音声合成部１５から構成されている。
【００２６】
また住戸用制御部１１に対しては、火災表示灯２１、集合玄関機や防災監視盤などと通話を行うインターホン機能のハンドセット２２、トランジスタ２３により作動されるリレー２４、音声合成部１５からの音声信号を増幅するアンプ２５と住戸用スピーカ２６が設けられている。
【００２７】
感知器回線１８には住戸内の火災を監視する住戸用火災感知器２０が接続され、また終端には終端抵抗１９が接続されている。住戸用制御部１１の構成の一部又は全部はＭＰＵ（マイクロプロセッサ）の制御機能で実現することができる。
【００２８】
更に住戸用受信機１０に対しては、住戸玄関口などに設置されたドアホン２７が接続されている。このドアホン２７には火災検出時に火災警報表示を行う戸外表示器２７ａが設置されている。
【００２９】
ここで防災監視盤１と住戸用受信機１０との間の伝送線２８による伝送は、住戸用受信機１０側に固有のアドレスを設定し、防災監視盤１からのアドレスの指定による住戸用受信機１０の呼出しで信号を伝送するいわゆるＲ型伝送方式を採用している。住戸用受信機１０へのアドレスの設定は、ディップスイッチ等で構成されるアドレス設定部１６で行われる。
【００３０】
また住戸用制御部１１の制御出力によりオン、オフされるトランジスタ２３の負荷となるリレー２４は、切替リレー接点２４ａ，２４ｂを備えている。切替リレー接点２４ａは通常監視状態では通話線２９を通話回路１４に接続し、防災監視盤からのインターホン親機と住戸用受信機１０に設けているハンドセット２２との間での通話ができるようにしている。
【００３１】
また切替リレー接点２４ｂは、図示のように通常監視状態では音声合成部１５に閉じており、インターホンの呼出音や住戸用受信機１０で火災感知器２０からの発報信号により火災監視部１７が火災を検知した際に住戸内に音声警報を出すようにしている。
【００３２】
リレー２４は、防災監視盤１から火災判断に基づく近隣火災警報や全館一斉鳴動のための音声メッセージを出力するための音声警報出力制御信号を伝送回路１３を介して制御部１２で受けた際に、制御部１２によるトランジスタ２３のオンにより駆動され、切替リレー接点２４ａ，２４ｂを破線のように切り替え、防災監視盤１からの通話線２９による近隣火災警報のための音声メッセージ信号を直接アンプ２５に加え、住戸用スピーカ２６から直上階または出火階の住戸に対する近隣火災警報や全館一斉鳴動の音声メッセージを出力できるようにしている。
【００３３】
防災監視盤１はＭＰＵを用いた主制御部３０を備え、主制御部３０は、そのプログラム制御により監視制御部３１と本発明による登録処理部３２としての機能を備えている。もちろんＭＰＵで構成される主制御部３０には、ＲＯＭやＲＡＭなどが設けられている。
【００３４】
主制御部３０に対しては液晶表示部４と操作部３３が接続される。液晶表示部４及び操作部３３の構成は、図１及び図２のようになる。また主制御部３０に対しては主音響用音声合成部４３が設けられ、その出力にアンプ４４を介して主音響用スピーカ４５を接続している。
【００３５】
また防災監視盤１にはインターホン制御部３４が設けられ、伝送回路３５と通話回路３６の機能が設けられている。このインターホン制御部３４に設けた伝送回路３５は、伝送線２８を介して接続された住戸側の住戸用受信機１０及び防災監視盤１に内蔵している中継器４０のアドレスを指定して、制御信号（制御コマンド）やデータの伝送を行うＲ型伝送機能を実現する。
【００３６】
防災監視盤１に設けている中継器４０からは集合住宅の共用部に対し共用部感知器回線４１が引き出され、ここに共用部用火災感知器４２及び終端に終端抵抗４２ａを接続している。なお共用部の大きさや数により適宜中継器４０、共用部用火災感知器が設けられる。また伝送回路３５及び通話回路３６に対しては集合玄関機３８が接続される。
【００３７】
このため集合玄関機３８とインターホン制御部３４に接続しているインターホン親機のハンドセット３７との通話、また住戸用受信機１０のハンドセット２２との間で集合玄関ドアの開閉制御や通話ができるようになっている。
【００３８】
防災監視盤１の主制御部３０に対しては近隣火災警報用の音声合成部４６が設けられ、その出力はパワーアンプ４７を介して回線選択部４９に接続されている。回線選択部４９に対しては共用部に設置された共用部スピーカ５０ａ〜５０ｎが接続されている。
【００３９】
回線選択部４９の選択制御は、主制御部３０に対し設けた入出力制御部４８により行われる。即ち主制御部３０で住戸用受信機１０からの火災確認信号または中継器４０からの火災信号の受信に基づいて火災及び火災発生地区を判断すると、入出力制御部４８に対し例えば近隣火災警報であれば出火階及び直上階の共用部に対する回線選択を指示し、これに基づき入出力制御部４８が出火階及び直上階に対応する回線選択部４９に設けているリレーをオンし、その接点をオンすることでパワーアンプ４７の出力に出火階及び直上階の共用部に設けている共用部スピーカ５０ａ〜５０ｎの内の対応するスピーカを接続する。
【００４０】
同時に主制御部３０は、インターホン制御部３４の伝送回路３５を介して出火階及び直上階の住戸の住戸用受信機１０に対し、そのアドレスを指定して音声警報出力制御信号を送り、トランジスタ２３のオンによるリレー２４の駆動で切替リレー接点２４ａ，２４ｂを破線側に切り替える。
【００４１】
更にインターホン制御部３４には、トランジスタ５１、リレー５２、切替リレー接点５２ａで構成される切替回路が設けられ、主制御部３０からの音声警報出力制御信号によりトランジスタ５１を駆動することでリレー５２を作動し、その切替リレー接点５２ａを同じく破線側に切り替え、この状態で音声合成部４６より火災警報の音声メッセージ信号を出力することで、住戸及び共用部のスピーカから火災警報の音声メッセージを出力できるようにしている。
【００４２】
更に防災監視盤１には電源部５３が設けられ、商用ＡＣ１００Ｖにより内部に対する直流電源電圧を作り出している。
【００４３】
次に図３の防災監視設備における動作を説明する。住戸用受信機１０を設置しているある住戸で火災が発生したとすると、住戸用火災感知器２０が発報し、発報信号を火災監視部１７で受信し、火災監視部１７からの火災発報信号を受けて住戸用制御部１１は、その制御部１２により火災表示灯２１を点灯し、併せてドアホン２７に設けている戸外表示器２７ａを点滅する。
【００４４】
また音声合成部１５を作動し、住戸用スピーカ２６より例えば「火災感知器が作動しました。火災を確認してください。」などの音声メッセージを出力させる。
【００４５】
このような住戸用受信機１０における火災受信の動作に対し、居住者が火災を確認したならば、図示しない火災確認釦を操作すると、伝送線２８により防災監視盤１に対し火災確認信号が送出される。
【００４６】
また火災確認釦を操作しなくとも、火災受信から予め一定時間例えば２〜５分以内に定めた一定時間を経過すると、自動的に伝送線２８より防災監視盤１に対し火災確認信号を送出する。なお火災受信から一定時間を経過する前に住戸用受信機１０に設けられる警報音停止釦や復旧釦を操作すると、防災監視盤１に対する火災確認信号の送出は行われず初期状態に復旧する。
【００４７】
防災監視盤１は、火災発生住戸の住戸用受信機１０からの火災確認信号をインターホン制御部３４の伝送回路３５を経由して主制御部３０で受信すると、その監視制御部３１の機能により火災及び火災発生住戸を判断し、主音響用音声合成部４３を作動してアンプ４４により増幅した後、主音響用スピーカ４５より火災発生を示す主音響の音声メッセージ、例えば「火事です。火事です。○○階△△△△号室で火災が発生しました。」などの主音響メッセージを出力する。
【００４８】
同時に、液晶表示部４に火災発生住戸の認証として「○○階△△△△号室で火災発生」などの地区名称（火災発生住戸）を表示する。また図２に示すように、火災代表表示や火災発報画面が表示されていることを示す発報表示灯の点灯を行わせる。
【００４９】
続いて主制御部３０は火災発生住戸から、その火災発生階の住戸及び直上階の住戸、更に共用部のアドレスを認識し、火災発生階及び直上階の住戸にインターホン制御部３４の伝送回路３５経由でアドレスを指定して近隣火災警報のために音声警報出力制御信号を送る。
【００５０】
このため火災発生階の住戸及び直上階の住戸にあっては、住戸用受信機１０の
住戸用制御部１１において防災監視盤１からの音声警報出力制御信号が判別され、リレー２４の作動で切替リレー接点２４ａ，２４ｂを破線側に切り替え、また防災監視盤１においてもインターホン制御部３４が制御出力によりリレー５２を作動し切替リレー接点５２ａを破線側に切り替え、音声合成部４６の出力を通話線２９に接続する。
【００５１】
同時に主制御部３０は入出力制御部４８に火災発生階及び直上階の共用部の回線選択のための制御指示を行い、これを受けて回線選択部４９の火災発生階及び直上階の回線に対応したリレーが作動され、出火階及び直上階の共用部スピーカがパワーアンプ４７の出力に接続される。
【００５２】
このような近隣火災警報の出力制御が済んだ状態で、主制御部３０は音声合成部４６を作動し、近隣火災警報の音声メッセージ信号を出力する。この近隣火災警報の音声メッセージ信号は、第１シグナルとして「フィンフォンフィンフォンフィンフォン」を出した後、警報メッセージとして「火事です。火事です。○○階△△△△号室で火災が発生しました。安全を確認の上避難してください」との出力を行い、最後に「フィフィフィ」との第２シグナルを出し、これを繰り返す。
【００５３】
このような近隣火災警報用の音声合成部４６からの音声信号により、出火階及び直上階の住戸用受信機１０の住戸用スピーカ２６、更に出火階及び直上階の共用部に設けている共用部スピーカより、近隣火災警報の音声メッセージの出力が行われる。なお火災警報時にあっては通話線２９は音声警報のために使用されることから、インターホンの通話機能は停止されることになる。
【００５４】
一方、共用部での火災発生に対しては中継器４０で共用部用火災感知器４２からの発報信号を受信して火災信号をインターホン制御部３４の伝送回路３５に出力し、この場合にも住戸用受信機１０からの火災確認信号を受信した場合と同様にして、出火場所を共用部と判断した火災警報制御が行われる。
【００５５】
このような本発明の火災報知設備における火災時の警報制御のため、防災監視盤１には、予め火災発生場所を液晶表示部４に表示したり、火災警報により音声メッセージとして出力させるための地区名称の登録が必要となる。この火災警報時に使用する地区名称の表示データ及び音声データの登録は、防災監視盤１に設けたＭＰＵで構成される主制御部３０の登録処理部３２により行われる。
【００５６】
図４は図３の防災監視盤１の登録処理部３２による地区名称についての登録処理機能のブロック図である。
【００５７】
図４において、登録処理部３２に対しては文字セットデータベース５４と登録完了した地区名称情報を保存する地区名称データベース５５が設けられ、登録処理部３２による地区名称の登録操作のため液晶表示部４と操作部３３が設けられる。
【００５８】
文字セットデータベース５４は、各住戸名や共用部名のそれぞれの地区名称を登録する際に、登録する名称として使用すると想定される語句を予め複数用意しているデータベースである。名称として使用される最小単位の語句を文字セットとしており、地区名称は、文字セットの語句の組み合わせで１つの名称が構成される。
【００５９】
地区名称を構成する単語や語句の文字セットごとに、液晶表示画面４に表示する際に使用する文字セット表示データと音声警報で地区名称を出力する際に使用する文字セット音声データを組として予め登録しておく。
【００６０】
図５及び図６は、図４の文字セットデータベース５４の説明図である。図５の文字セットデータベース５４において、１つの文字セット内の登録データはＩＤ番号５６、地区名称５７、地区警報場所メッセージ５８、共用部回線使用可能フラグ６０、住戸使用可能フラグ６１及びエンドセンテンス６２で構成されている。なお最後の備考は説明のために示している。
【００６１】
文字セットデータベース５４は、この実施形態にあってはＩＤ番号５６として０番から５９番を準備している。地区名称５７は火災警報などのとき液晶表示部４に地区名称を表示する際に使用する表示データである。地区警報場所メッセージ５８は液晶表示部に表示した地区名称５７に対応してスピーカでの音声警報で地区名称を述べるときに使用する音声データである。
【００６２】
共用部回線使用可能フラグ６０は共用部の地区名称の設定に使用できるデータを特定するための識別フラグである。この実施形態にあってはＩＤ番号の０番〜５９番が共用部の地区名称の設定に使用できる。住戸使用可能フラグ６１は各住戸の地区名称の設定に使用できるデータを特定するための識別フラグである。さらに住戸使用可能フラグ６１は階フラグと部屋フラグからなり、住戸の階名称や部屋名称の設定に使用できるデータを特定している。
【００６３】
この例のＩＤ番号の１番は、地区名称として「○階」「△△△△号室」「共用部」の３つが用意され、それぞれ階フラグと部屋フラグと共用フラグを設定しており、地区名称としてＩＤ番号１番を設定すると、地区名称の種類（住戸か共用部か）のフラグに対応した地区名称が自動的に選択されて表示や音声として使用される。
【００６４】
住戸使用可能フラグの部屋フラグについてはＩＤ番号の２７〜３１，３３，３５，３９，４１〜４４，４７〜５３について設定できる。これは、集合住宅の住戸以外の部屋に必要な名称を設定できるようにするためである。実際の登録にあっては、備考に示すように、住戸及び共用部共に地区名称としてＩＤ番号１番がデフォルト設定されている。
【００６５】
監視する地区毎の種類が住戸か共用部かは予め制御部内に登録されており、この種類の情報に応じて、共用部であればＩＤ番号１番の共用部回線使用可能フラグのついた「共用部」が表示データとして使用され、住戸においては住戸使用可能フラグの「○階」と「△△△△号室」が表示データとして使用される。
【００６６】
また、住戸階及び住戸部屋については予め階を示す数値及び部屋番号を示す数値がデフォルトとして登録されている。そのため、例えば「１階」と「１０１号室」とデフォルトの名称となる。もしデフォルトのＩＤ番号１番以外の名称を地区名称として使用したい場合には部屋フラグが有効となっているＩＤ番号を使用した地区名称へ変更が可能となる。
【００６７】
このように最初にデフォルトとして地区名称の文字セットが登録されているため、特に集合住宅の部屋名称のつけ方がデフォルト登録と同じように決まっている場合は、部屋名称を変更する必要がなく、登録作業が簡単になる。
【００６８】
また図５，図６の文字セットデータベース５４の登録内容を見ると、ＩＤ番号５６の２番〜１８番は共用部の地区名称として使用する階番号であり、１９番〜２２番は同じく共用部用の東西南北であり、２３番〜２６番は共用部名称用のＡ〜Ｄの識別記号であり、２７番〜５５番は集合住宅における具体的な部屋や場所の名前となっている。
【００６９】
更にＩＤ番号の５９番については、共用部回線使用可能フラグ６０のセットにより共用部名称について使用するスペース１文字である。もちろん本発明で使用する文字セットデータベース５４の内容は、図５，図６の実施形態に限定されず、集合住宅の地区名称として使用されると想定される種々の文字セットの表示データ及び音声データの登録形態を定めることができる。この文字セットの登録形態は追加設定できるようにしてもよい。
【００７０】
図７は図４の地区名称データベース５５に登録された地区名称データの説明図である。図７（Ａ）が一般的なデータ形式であり、住戸や共用部の個別アドレスを示すＩＤ番号１００に続いて表示データ１０２が設けられ、これに続いて表示データに対応する音声データ１０４が格納される。
【００７１】
なお、防災監視盤１の音声合成部４６は音声合成ＩＣで構成され、音声合成ＩＣ内の各ＲＯＭアドレスには、図５、図６に示す地区警報場所メッセージ５８の音声が１つずつ格納されている。音声警報する際には出力する音声内容が格納されたＲＯＭアドレスを音声合成ＩＣに伝えることで音声が出力される。
【００７２】
音声データ１０４には音声合成ＩＣのＲＯＭアドレスが格納される。更に、その他１０６として、火災判断における蓄積機能の有無などのＩＤ番号のそれぞれに設定される付加情報のデータなどが格納される。なお、後述するが表示データ１０２として文字セットデータ以外にフリーワード入力で表示する文字を追加できる。
【００７３】
図７（Ｂ）は具体的な住戸名称についての地区名称データの一例であり、ＩＤ番号１００に続いて表示データ１０２として文字セットデータベース５４のＩＤ番号１番の「１階」及び「１０１号室」が登録され、音声データ１０４としては「１階」及び「１０１号室で」が登録されている。
【００７４】
図８は図４の地区名称データベース５５の格納データを使用した火災警報用音声メッセージの一例である。この音声メッセージ１０８は、メッセージ１０８ａ，１０８ｂ，１０８ｃの３つに分かれており、先頭のメッセージ１０８ａと最後のメッセージ１０８ｃは固定した音声データである。
【００７５】
これに対し中央のメッセージ１０８ｂは地区名称に応じて変更されるメッセージであり、その中の「○階△△△△号室で」が例えば図７（Ｂ）の地区表示データベース５５の音声データ１０４の読出しで作成される。
【００７６】
この点は液晶表示部４に表示する地区名称についても同様であり、予め準備されている地区名称表示データである「○階△△△△号室  火災発生」とする表示データについて、その中の「○階△△△△号室」の部分が火災発生地区に応じて地区名称が任意に表示され、例えば図７（Ｂ）の地区名称データベースの表示データ１０２の読出しで設定されて液晶表示部４に火災発生地区名称の表示を行うようになる。
【００７７】
図９は図８の音声メッセージ１０８を使用した音声警報出力パターンであり、第１シグナル１１０に続いて図８の音声メッセージ１０８を出力し、第１シグナル１１０と音声メッセージ１０８を２回繰り返し、続いて第２シグナル１１２を出力する。第１シグナル１１０は前述したように「フィンフォンフィンフォンフィンフォン」の連続音であり、また第２シグナル１１２は「フィフィフィ」の連続音であり、この音声パターンが繰り返されることになる。
【００７８】
次に図４の登録処理部３２による文字セットデータベース５４を用いた地区名称の表示データ及び音声データの登録処理を説明する。
【００７９】
図１０は地区名称の登録の際に使用する液晶表示部４に表示されるデータ設定メニューを示している。この初期画面６４の中には「７  地区・諸表示名称」のメニューがあり、この番号「７」を上シフトスイッチ７もしくは下シフトスイッチ８の操作で選択して実行スイッチ６を押すと、その下に示す地区・諸表示名称設定画面６５に切り替わる。
【００８０】
この地区・諸表示名称設定画面６５の中には、メニュー項目として「共用部回線」、「住戸」、「防排煙」及び「諸表示」の４つが設けられている。そこで、同じく図２における上シフトスイッチ７もしくは下シフトスイッチ８の操作で例えば「１」を選択して実行スイッチ６を押すと、図１１の共用部回線番号選択画面６６に切り替わる。
【００８１】
また図１０の地区・諸表示名称設定画面６５で番号「２」を選択して実行スイッチ６を押すと、図１５の住戸番号選択画面６８に切り替わる。更に図９の地区・諸表示名称設定画面６５で番号「３」を選択して実行スイッチ６を押すと、図１８の防排煙回線番号選択画面７０に切り替わる。なお図１０の地区・諸表示名称設定画面６５における番号「４」の諸表示については、文字入力によって任意の名称を設定する選択肢であることから説明を省略する。
【００８２】
図１１の共用部回線番号選択画面６６にあっては、設定回線の回線番号をセットする設定枠６６ａが示されており、図２のテンキー５により名称設定を行う共用部の回線番号例えば「０１」を選択して実行スイッチ６を押すと、その下に示す共用部回線名称設定画面６７に切り替わる。
【００８３】
図１２は図１１の共用部回線名称設定画面６７を拡大している。この共用部回線名称設定画面６７には設定操作に使用するウィンドウ７２が設けられる。ウィンドウ７２は項目番号７３としての「Ｎｏ」と文字セット枠７４で構成された８項目が入力枠を持っている。項目番号７３は図５の文字セットデータベース５４のＩＤ番号５６を入力する欄であり、項目番号７３にＩＤ番号５６を選択して入力すると、入力したＩＤ番号に対応した文字セットデータベース５４の地区名称５７がウィンドウ７２の文字セット枠７４に自動表示される。
【００８４】
ここでウィンドウ７２の８つの項目番号７３に対応したデータ構造としては、図１３（Ａ）に示すように８つの文字セット項目エリア７５ａ〜７５ｈが準備され、１又は複数の項目番号７３に文字セットを選択して確定すると、８つの項目番号７３に入力した文字セット情報を合わせて図１３（Ｂ）の文字セット合成データ７６が得られる。この文字セット合成データ７６が図７（Ａ）の表示データ１０２や音声データ１０４となる。
【００８５】
このため図１２の共用部回線名称の設定にあっては、先頭位置の項目番号７３を選択した状態で、その中で図５，図６に示した文字セットデータベース５４のＩＤ番号５６を選択し、これを２番目以降の複数項目についても必要に応じて行うことで、複数の文字セットの組合せからなる地区名称を設定することができる。
【００８６】
この地区名称の設定手順は次のようになる。
（１）上シフトスイッチ７または下シフトスイッチ８でウィンドウ７２の８つの項目の内から入力したい項目を選択する。
（２）選択した項目において、項目番号ダウンキーとしての＊キー５ａまたは項目番号アップキーとしての＃キー５ｂにより項目番号７３に表示しているＩＤ番号を変更する。なおＩＤ番号の変更は０〜９の数字キーにより直接入力することもできる。項目番号７３に表示するＩＤ番号の選択により文字セット枠７４に表示される名称が順次切替わる。
（３）ウィンドウ７２のすぐ上の「名称」の部分に８つの項目を合成した地区名称が表示されるので、これを確認して実行スイッチ６を押すと、設定した地区名称についての表示データと音声データの組でなる図７のデータ形式をもつ地区名称データが図４の地区名称データベース５５に登録される。
【００８７】
図１２について具体的に説明すると次のようになる。図１２は回線０１の共用部に「１階  共用部」と名称を登録する例である。共用部回線名称設定画面６７のウィンドウ７２について、上シフトスイッチ７または下シフトスイッチ８により最初の項目番号７３を選択すると、項目番号が反転表示となる。この状態でキースイッチ５における＃キー５ｂを押して初期状態でデフォルト状態の「０１」となっているＩＤ番号を「０４」に変更する。
【００８８】
このＩＤ番号の変更を行うと、それに対応して図５，図６の文字セットデータベース５４の地区名称５７から読み出されたデータが右側の文字セット枠７４に表示される。図示のＩＤ番号「０４」については文字セット枠７４に「１階」が表示される。
【００８９】
次に下シフトスイッチ８を操作して２番目の項目を選択し、＊キー５ａまたは＃キー５ｂによりＩＤ番号「５９」を選択する。このＩＤ番号「５９」は図６のようにスペースであり、このように階と次に設定する文字セットとの間にＩＤ番号５９番のスペースを入れておくことで地区名称が見やすいと共に音声メッセージが２００ｍｓｅｃ無音となるため階と場所名がはっきりと分かれてスムーズに聞こえる。
【００９０】
次に下シフトスイッチ８を操作して３番目の項目を選択し、この状態で＊キー５ａまたは＃キー５ｂによりＩＤ番号「４８」を選択し、図６の文字セットデータベース５４から明らかなように、対応する地区名称５７として「共用部」を表示する。
【００９１】
ここで文字セットとして選択した「共用部」の後ろには「＊」が付いており、これは図５の文字セットデータベース５４におけるエンドセンテンス６２のセットで設けられるエンドセンテンスマークである。このようにエンドセンテンスマークを持つ文字セットを選択すると、その回線にはそれ以降、地区名称の登録ができなくなる。
【００９２】
エンドセンテンスマークのついている文字セットを選択すると、図５や図６の地区警報場所メッセージ５８に示すように、音声警報において「○○○で」と場所名の後に「で」という語句が追加されており、「○○○で火災が発生しました」とメッセージがスムーズになる。
【００９３】
なお、エンドセンテンスマークのない文字セットがメッセージの最後になったとしても、最後の文字セットが入力されている項目の次の項目は項目番号７３に「００」が入力されているから、図５に示すようにＩＤ番号５６の０番は「で」が音声メッセージとして出力されるため、スムーズなメッセージとなる。
【００９４】
このように３つの項目番号に亘る文字セットの選択を行うと、ウィンドウ７２のすぐ上の名称の部分「１階  共用部」の表示が行われることから、これを確認して実行キー６を押すと、図７に示した構造の表示データ及び音声データの組を含む地区名称のデータが自動的に生成されて図４の地区名称データベース５５に登録される。なお、設定した地区名称をキャンセルしたい場合には図２の前画面スイッチ９を押せば良い。
【００９５】
図１４は図４の登録処理部３２による共用部回線名称登録処理のフローチャートである。この共用部回線名称登録処理にあっては、ステップＳ１で図１２の共用部回線名称設定画面６７に示したように、そのウィンドウ７２の中の項目の選択処理を行う。
【００９６】
続いてステップＳ２で選択した項目について文字セットのＩＤ番号の設定処理を行う。このＩＤ番号の選択に応じて文字セット枠７４が自動で切替わる。ステップＳ３で文字名称の入力が済むまで、ステップＳ１，Ｓ２の処理を繰り返す。
【００９７】
１または複数の項目について文字セットのＩＤ番号による設定処理が済んだならば、設定した回線名称を確認して実行スイッチ６を押すことにより、この実行操作がステップＳ３で判別され、ステップＳ４で地区名称の表示データと音声データの地区名称データベース５５に対する登録が行われる。
【００９８】
図１５は、図１０の地区名称設定画面６５で番号「２」を選択して実行スイッチ６を押し際に開かれた住戸番号選択画面６８であり、住戸名称の設定を行う。住戸名称を設定した場合には設定する住戸の番号を設定枠６８ａにテンキー５により入れて実行スイッチ６を押す。この例では設定枠６８ａに住戸番号として「１０１」を入れて実行スイッチ６を押しており、これによって下に示す住戸名称設定画面６９に切り替わる。
【００９９】
図１６は、図１５の住戸名称設定画面６９を拡大している。住戸名称設定画面６９はウィンドウ７７に階設定エリア７８、部屋設定エリア７９、フリー設定エリア８０の３つを設けており、それぞれについて項目番号８１、文字セット枠８２を設けている。
【０１００】
ここで階設定エリア７８及び部屋設定エリア７９の項目番号８１の値は「０１」「０１」が示される。即ち、項目番号「０１」は図５の文字セットデータベース５４のＩＤ番号５６における１番の先頭項目に対応した「○階」であり、この中の「○」の部分が図２の＊キー５ａでダウンでき、また＃キー５ｂでアップできる。更に０〜９の数字キーで直接変更することもできる。
【０１０１】
次の部屋設定エリア７９についても、項目番号「０１」の固定部分について文字セットとして「△△△△号室」が文字セット８２として表示され、「△△△△」の部分を図２の＊キー５ａでダウンしたり＃キー５ｂでアップしたりし、あるいは０〜９の数字キーの直接入力で設定できる。この場合、部屋設定エリア７９の文字セットの最後には「＊」となるエンドセンテンスマークが示されているため、ここで文字セットの入力はできなくなる。
【０１０２】
更に、この実施形態にあっては、フリー設定エリア８０が設けられており、フリー設定エリア８０にあっては、例えば住戸の居住者の氏名などを平仮名、片仮名、絵文字などの文字入力により設定することができる。このフリー設定エリア８０に対する入力はフリーワード入力となり、図２の液晶表示部４の右側下部に設けている画面選択スイッチを押すことによる別の操作となる。図１６では「鈴木」と入力されている。
【０１０３】
このため、ウィンドウ７７について階設定エリア７８及び部屋設定エリア７９についての文字セットの設定が済むと、ウィンドウ７７のすぐ上の「名称」の部分に階名称として「１階  １０１号室  鈴木」が表示され、これを確認して実行スイッチ６を押すことで、設定した住戸名称の表示データと音声データの組を含む地区名称データの図４における地区名称データベース５５に対する登録が行われる。
【０１０４】
図１７は図４の登録処理部３２による住戸名称登録処理のフローチャートである。この住戸名称登録処理にあっては、図１６の地区名称設定画面６９に示したように、ウィンドウ７７を使用してステップＳ１で階項目の選択を行い、続いてステップＳ２で階番号を文字セットに設定する。
【０１０５】
次にステップＳ３で次の部屋項目を選択し、ステップＳ４でその対応する文字セットに部屋番号を設定する。そしてステップＳ５で実行スイッチ６の操作による実行操作を判別すると、ステップＳ６で設定名称の表示データと音声データの組を含む地区名称データを地区名称データベース５５に登録する。
【０１０６】
図１８は図１０の地区・諸表示名称設定画面６５で番号３を選択して実行スイッチ６を押すことにより開かれた防排煙回線番号選択画面７０である。この場合、例えば入力枠７０ａに回線番号として「１」を設定して実行スイッチ６を押すと、その下に示す防排煙名称設定画面７１に切り替わる。
【０１０７】
防排煙名称設定画面７１における地区名称の設定は、図１２に示した共用部回線名称設定画面６７における設定操作と同じであるが、図示のように項目を選択して文字セットを選択して名称を決定した後に実行スイッチ６を押すと、防排煙回線については共用部のようなスピーカによる音声警報設備はないことから、設定した地区名称に対応する音声データは作られず、図７の音声データ１０４の部分が空きとなり、表示データ１０２の部分についてのみ設定した名称のデータが格納されたデータ形式となる地区名称データが図４の地区名称データベース５５に登録されることになる。
【０１０８】
なお上記の実施形態は集合住宅の防災監視設備の防災監視盤で地区名称を登録する場合を例にとっているが、本発明はこれに限定されず、地区表示と同時に地区名称の音声メッセージの警報を行う適宜の設備につき、地区名称を構成する文字セットごとに表示データと文字セット音声データの組を予め登録した文字セットデータベースを使用して、１または複数の選択操作により地区名称表示データと地区名称音声データを作成する登録処理をそのまま適用することができる。
【０１０９】
また液晶表示部の作業画面を使用した地区名称の設定の方法は、上記の実施形態に示した具体的な設定画面に限定されず、文字セットデータベースに予め登録されている１または複数の文字セットを選択して組み合わせることのできる設定操作であれば適宜の設定操作で良い。
【０１１０】
また、本実施形態においては火災感知器の発報で火災表示と火災警報を行う例であったが、ガス漏れ感知器や防犯感知器からの異常信号を受けて、異常表示や異常警報を行う構成でも適用できる。
【０１１１】
更に本実施形態においては地区名称の設定を防災監視盤の液晶表示部で行ったが、防災監視盤に接続されて異常地区名称を表示可能なＣＲＴ等のディスプレイ表示から防災監視盤との伝送で設定できるようにしてもよい。設定時の操作部は表示部と同じタッチパネル式の表示画面で行ってもよい。
【０１１２】
また、文字セットの組み合せによる地区名称の登録を行った後に、防災受信盤の主音響警報用スピーカ４５や他のスピーカなどで登録した音声メッセージをモニタ出力させて確認できるようにしてもよい。操作部３３によりモニタ出力させたい地区を選択して音声メッセージを確認すればよい。更に本発明は上記の実施形態に示した数値による限定は受けない。
【０１１３】
【発明の効果】
以上説明してきたように本発明によれば、データベースとして準備された文字セットデータを選択したり必要に応じて複数の文字セットデータを組み合わせるという簡単な操作により地区名称の登録が簡単かつ容易にできる。
【０１１４】
またデータベースに登録している文字セットデータを画面に表示させながら選択できるため、文字セットのデータベースの内容が分からなくとも画面内で文字セットの内容を簡単に把握でき、文字セットと地区名称との間の換算表などを必要とせずに、画面操作によ簡単に地区名称の登録ができる。
【０１１５】
更に地区名称の設定によって表示データと音声データの両方が自動的に設定されるため、別々に設定した場合に比べ地区名称の登録作業や変更作業が簡単且つ効率よくできる。
【図面の簡単な説明】
【図１】本発明で使用される防災受信盤の説明図
【図２  】図１の防災監視盤の表示操作部を拡大した説明図
【図３】本発明の防災監視設備の全体構成を示したブロック図
【図４】図３の防災監視盤による地区名称登録の機能構成のブロック図
【図５】図４の文字セットデータベースの説明図
【図６  】図５に続く文字セットデータベースの説明図
【図７】図５の地区名称データベースに登録した地区名称データの説明図
【図８】本発明の近隣火災警報に使用する音声メッセージの説明図
【図９】本発明の近隣警報における音声パターンの説明図
【図１０】本発明による地区名称登録の初期画面となるデータ設定画面と次の地区・諸名称設定画面の説明図
【図１１】図１０に続く共用部回線選択画面と次の共用部回線名称設定画面の説明図
【図１２  】図１１の共用部回線名称設定画面による設定操作の説明図
【図１３】図１２の複数項目で設定する文字セットとデータ構造の説明図
【図１４】本発明による共用部回線番号登録処理のフローチャート
【図１５】図１０に続く住戸番号選択画面と次の住戸名称設定画面の説明図
【図１６】図１５の住戸名称設定画面による設定操作の説明図
【図１７】本発明による住戸名称登録処理のフローチャート
【図１８】図１０に続く防排煙番号選択画面と次の防排煙名称設定画面の説明図
【符号の説明】
１：防災監視盤
２：火災監視部
３：インターホン親機
４：液晶表示部
５：テンキー
５ａ：＊キー
５ｂ：＃キー
６：実行スイッチ
７：上シフトスイッチ
８：下シフトスイッチ
９：前画面スイッチ
１０：住戸用受信機
１１：住戸用ＣＰＵ
１２：制御部
１３，３５：伝送回路
１４，３６：通話回路
１５：住戸用音声合成部
１６：アドレス設定部
１７：火災監視部
１８：住戸感知器回線
２０：住戸用火災感知器
２１：火災表示灯
２２，３７：ハンドセット
２３，５１：トランジスタ
２４，５２：リレー
２４ａ，２４ｂ，５２ａ：切替リレー接点
２５，４４：アンプ
２６：住戸用スピーカ
２７：ドアホン
２７ａ：戸外表示器
２８：伝送線
２９：通話線
３０：主制御部
３１：監視制御部
３２：登録制御部
３３：操作部
３４：インターホン制御部
３８：集合玄関機
４０：中継器
４１：共用部感知器回線
４２：共用部用火災感知器
４３：主音響警報用音声合成部
４５：主音響警報用スピーカ
４６：音声合成部
４７：パワーアンプ
４８：入出力制御部
４９：回線選択部
５０：共用部用スピーカ
５３：電源部
５４：文字セットデータベース
５５：地区名称データベース
５６：ＩＤ番号
５７：地区名称
５８：地区警報場所メッセージ
５９：地区音響データ数
６０：共用部回線使用可能フラグ
６１：住戸使用可能フラグ
６２：エンドレスセンテンスフラグ
６４：データ設定メニュー画面
６５：地区・諸表示名称設定画面
６６：共用部回線番号選択画面
６７：共用部回線名称設定画面
６８：住戸番号選択画面
６９：住戸名称設定画面
７０：防排煙回線番号選択画面
７１：防排煙名称設定画面
７２，７７：ウィンドウ
７３，８１：項目番号
７４，８２：文字セット枠
７５ａ〜７５ｈ：文字セット項目エリア
７６：文字セット合成データ
７８：階設定エリア
７９：部屋設定エリア
８０：フリー設定エリア
【図１】
0004683448.tif 000002
【図２】
0004683448.tif 000003
【図３】
0004683448.tif 000004
【図４】
0004683448.tif 000005
【図５】
0004683448.tif 000006
【図６】
0004683448.tif 000007
【図７】
0004683448.tif 000008
【図８】
0004683448.tif 000009
【図９】
0004683448.tif 000010
【図１０】
0004683448.tif 000011
【図１１】
0004683448.tif 000012
【図１２】
0004683448.tif 000013
【図１３】
0004683448.tif 000014
【図１４】
0004683448.tif 000015
【図１５】
0004683448.tif 000016
【図１６】
0004683448.tif 000017
【図１７】
0004683448.tif 000018
【図１８】
0004683448.tif 000019